(57)【要約】【課題】磁石と首輪等との接着力を強固にすることにより、接着力以外の手段を用いなくても、首輪等から磁石が剥離しにくい磁石付きペット用具を提供する。【解決手段】ペット用のペット用具であって、ペットの体に取付けられる取付部11を備えており、取付部11に、磁石13が設けられている。ペットの体に取付けられる取付部11に磁石13を設けているので、磁石13の磁気をペットに付与することができる。よって、筋肉中の「凝り」の原因となる筋肉中の血行不良やストレスを解消又は予防でき、ペットの健康増進を図ることができる。【選択図】図１
2011182687.tif 000002
【特許請求の範囲】
【請求項１】
ペット用のペット用具であって、
ペットの体に取付けられる取付部を備えており、
該取付部に、磁石が設けられている
ことを特徴とする磁石付きペット用具。
【請求項２】
前記取付部において、
該取付部をペットに取付けたときに、ペットの体表面に対向するペット対向面に、
磁石が設けられている
ことを特徴とする請求項１記載の磁石付きペット用具。
【請求項３】
前記磁石は、
凹凸が形成された凹凸面を有しており、
該凹凸面に接着剤を塗布して、前記取付部のペット対向面に接着されている
ことを特徴とする請求項１または２記載の磁石付きペット用具。
【請求項４】
前記取り付け部のペット対向面に、磁石を収納し得る凹みが形成されており、
該凹みに磁石が設けられている
ことを特徴とする請求項１、２、または３記載の磁石付きペット用具。
【請求項５】
前記磁石は、
湾曲した曲面を有しており、
該曲面と前記凹みの内底面とが対向する状態で収納されている
ことを特徴とする請求項４記載の磁石付きペット用具。
【請求項６】
前記内底面は、
前記磁石の曲面と略同一の曲面に形成されている
ことを特徴とする請求項５記載の磁石付きペット用具。
【請求項７】
前記磁石は、
ペットに対向する部分が円錐形状に形成されており、
該円錐形状の先端部が丸く形成されている
ことを特徴とする請求項１、２、３、４、５または６記載の磁石付きペット用具。
【請求項８】
前記凹みは、
前記取付部をペットの体に取付けたときに、
該凹みに収納されている磁石が、
該ペット対向面から突出しないように形成されている
ことを特徴とする請求項１、２、３、４、５または６記載の磁石付きペット用具。
【請求項９】
ペット用具がペット用の首輪である
ことを特徴とする請求項１、２、３、４、５，６、７または８記載の磁石付きペット用具。
【請求項１０】
ペット用具がペット用の胴輪であって、
該胴輪は、
ペットの体に取付けたときに、
ペットの広背筋に沿って配置される前記取付部を有している
ことを特徴とする請求項１、２、３、４、５，６、７または８記載の磁石付きペット用具。
【請求項１１】
ペット用具がペット用の服であって、
該服は、その内面に着脱可能な前記取付部を備えている
ことを特徴とする請求項１、２、３、４、５，６、７または８記載の磁石付きペット用具。
【発明の詳細な説明】
【技術分野】
【０００１】
本発明は、磁石付きペット用具に関する。さらに詳しくは、ペットの体に取付けて使用した際に、磁石が剥離等しにくい磁石付きペット用具に関する。
【背景技術】
【０００２】
近年の住宅事情の変換に伴い、マンション等の屋内で犬等の哺乳類のペットを飼育することが増加してきている。これに伴い、屋内でのペットの運動範囲は屋外で飼育する場合に比べて狭くなるため、ペットには、運動不足による筋肉疲労が原因となる筋肉中の血液循環障害、精神的ストレスに伴う交感神経の刺激による筋肉中の血管収縮などという症状がみられる。その結果、筋肉中の血行不良等の問題が生じている。これは、いわゆる筋肉の「凝り」といわれている。
また、ペットは「凝り」から生じる神経系の痛みにより、さらにストレスを生じやすくなり、このストレスに起因して噛み癖等の問題行動を起こすという悪循環に陥るといった問題をも生じている。
さらに、近年のペットの長寿命化により、年老いたペットが増加してきている。このような老齢のペットは、若いペットよりもさらに運動不足になりやすいため、前記と同様の筋肉中の血行不良を若いペットよりも引き起こしやくなり、多種類の病気を合併するといった問題をも生じている。
【０００３】
かかる問題を防ぐため、ペットの筋肉の「凝り」を改善する方法が提案されている。例えば、人間の筋肉中の血行不良に有効とされている磁石（永久磁石）をペット用の首輪に設けて磁石の磁気、磁力の効果をペットにも付与する磁気用具が開示されている（特許文献１）。
具体的には、ペット用の首輪、胴輪に磁石を粒状、シート状等にして取付けて、磁石の磁気、磁力の効果をペットにも付与して筋肉中の血行不良を改善するというものである。
【０００４】
しかし、特許文献1の技術では、首輪等から磁石が容易に剥離して外れてしまうという問題がある。これは、表面が滑らかな磁石を接着部材等で首輪等に取付けたからであり、表面が滑らかな磁石と首輪等との接着力が弱いことに起因すると考えられる。また、ペットは、体表が被毛で覆われている。すると、被毛が磁石と首輪等との接着面に引っかかった際に、磁石と首輪等との接着力が弱い場合、磁石が被毛に引っ張られて外れてしまうと考えられる。
【０００５】
かかる問題を解決する技術として、補助部材を用いて磁石を首輪等に固定したペット用具が提案されている（例えば、特許文献２）。
具体的には、かかるペット用具は、首輪等の本体部にゲルマニウム体が配置可能な孔を形成するとともに、この孔にゲルマニウム体を配置した状態で孔を塞ぐように板状部材で本体部を挟み、板状部材にゲルマニウム体の一部が露出する露出孔を形成することで、ゲルマニウム体を首輪等の本体部に取り付けるというものである。
また、特許文献２には、本体部にゲルマニウム体が配置可能な孔を形成するとともに、この孔にゲルマニウム体が配置された状態で、孔の壁面とゲルマニウム体との隙間にリング状部材を圧入することによってもゲルマニウム体の取り付けたペット用具も記載されている。そして、特許文献２には、前者は板状の補助部材で、後者はリング状の補助部材で、磁石を首輪等に強固に固定できる旨が記載されている。
【０００６】
しかしながら、上記技術では、磁石に加えて、補助部材が必要となることから、首輪等の全重量が増加する。このため、上述したペット用具を取付けたペットに対して、かかる重量によるストレス等を与えるという問題点を有している。
また、板状の補助部材を用いた場合、首輪等は嵩張るほか、被毛が補助部材の取り付け隙間に入り、被毛が引っ張られてペットに不快感を与えてしまうという可能性もある。
さらに、補助部材を用いるため、手間がかかるほか、コスト面で割高となるという問題点をも有している。
【０００７】
上述の問題を解決できる可能性がある技術として、首輪等の部材内部に磁石を固定したペット用具が提案されている（例えば、特許文献３）。
かかるペット用具は、首輪等の部材内部に磁石を固定することから、磁石と首輪等との接着力を考慮しなくてよく、補助部材も必要としない点で優れている。
【０００８】
しかしながら、首輪等の部材内部に磁石を設けた場合、磁石とペットとの間に首輪等の内側部材が介在する。このため、磁石の磁気をペットに付与するためには、強力な磁石が必要となる。また、磁石を首輪等の部材内部に設けるため、磁石の取付に手間がかかるという問題点をも有している。
【先行技術文献】
【特許文献】
【０００９】
【特許文献１】特開2003-204731号公報
【特許文献２】実用新案登録第3101356号広報
【特許文献３】特開2002−65097号広報
【発明の概要】
【発明が解決しようとする課題】
【００１０】
本発明は上記事情を鑑みて、磁石と首輪等との接着力を強固にすることにより、接着力以外の手段を用いなくても、首輪等から磁石が剥離しにくい磁石付きペット用具を提供することを目的とする。
【課題を解決するための手段】
【００１１】
第１発明の磁石付きペット用具は、ペット用のペット用具であって、ペットの体に取付けられる取付部を備えており、該取付部に、磁石が設けられていることを特徴とする。
第２発明の磁石付きペット用具は、第１発明において、前記取付部において、該取付部をペットに取付けたときに、ペットの体表面に対向するペット対向面に、磁石が設けられていることを特徴とする。
第３発明の磁石付きペット用具は、第１または第２発明において、前記磁石は、凹凸が形成された凹凸面を有しており、該凹凸面に接着剤を塗布して、前記取付部のペット対向面に接着されていることを特徴とする。
第４発明の磁石付きペット用具は、第１、第２または第３発明において、前記取付部のペット対向面に、磁石を収納し得る凹みが形成されており、該凹みに磁石が設けられていることを特徴とする。
第５発明の磁石付きペット用具は、第４発明において、前記磁石は、湾曲した曲面を有しており、該曲面と前記凹みの内底面とが対向する状態で収納されていることを特徴とする。
第６発明の磁石付きペット用具は、第５発明において、前記内底面は、前記磁石の曲面と略同一の曲面に形成されていることを特徴とする。
第７発明の磁石付きペット用具は、第１、第２、第３、第４、第５または第６発明において、前記磁石は、ペットに対向する部分が円錐形状に形成されており、該円錐形状の先端部が丸く形成されていることを特徴とする。
第８発明の磁石付きペット用具は、第１、第２、第３、第４、第５または第６発明において、前記凹みは、前記取付部をペットの体に取付けたときに、該凹みに収納されている磁石が、該ペット対向面から突出しないように形成されていることを特徴とする。
第９発明の磁石付きペット用具は、第１、第２、第３、第４、第５、第６、第７または第８発明において、ペット用具がペット用の首輪であることを特徴とする。
第１０発明の磁石付きペット用具は、第１、第２、第３、第４、第５、第６、第７または第８発明において、ペット用具がペット用の胴輪であって、該胴輪は、ペットの体に取付けたときに、ペットの広背筋に沿って配置される前記取付部を有していることを特徴とする。
第１１発明の磁石付きペット用具は、第１、第２、第３、第４、第５、第６、第７または第８発明において、ペット用具がペット用の服であって、該服は、その内面に着脱可能な前記取付部を備えていることを特徴とする。
【発明の効果】
【００１２】
第１発明によれば、ペットの体に取付けられる取付部に磁石を設けているので、磁石の磁気をペットに付与することができる。よって、筋肉中の「凝り」の原因となる筋肉中の血行不良やストレスを解消又は予防でき、ペットの健康増進を図ることができる。
第２発明によれば、取付部をペットに取付けたときに、ペットの体表面と対向するペット対向面に磁石を設けているので、磁石の磁気を効率よくペットに付与することができる。よって、筋肉中の「凝り」の原因となる筋肉中の血行不良やストレスを解消又は予防することができる。
第３発明によれば、磁石の凹凸面に接着剤を塗布すれば、接着剤が凹凸形成部に進入し、接着剤と磁石との接着面積が増加する。このため、滑らかな磁石の表面に接着剤を塗布した場合に比べ、取付部に磁石を強固に接着することができる。すると、ペットの被毛が磁石と取付部のペット対向面との間に侵入したとしても、磁石は取付部に強固に接着されているため、被毛による磁石の剥離を防止でき、磁石を取付部から外れにくくすることができる。
また、補助部材等を用いなくても、磁石自体を取付部に強固に固定することができるため、磁石を取付部に取付ける手段を簡易にできる。しかも、低コストでペットの筋肉中の「凝り」の原因となる筋肉中の血行不良やストレスを解消又は予防できるから、ペットの健康増進を図ることができる。
さらに、取付部が皮製、布製等の磁石よりもやわらかい材質で形成されていれば、かかる取付部に磁石を取付ける際に、凹凸面を取付部に接触させた状態から磁石を押圧して取付ければ、磁石の凹凸が磁石よりもやわらかい材質に食い込むため、磁石と取付部との接着面積を凹凸形状の面を有していない場合よりも増加させることができ、磁石自体を取付部にさらに強固に固定することができる。
第４発明によれば、取付部のペット対向面に磁石を収納し得る凹みを形成して磁石をこの凹みに収納するので、ペットの被毛が磁石と取付部との接着面に引っかかりにくくすることができる。
第５発明によれば、磁石の一面が取付部のペット対向面に向かって凸状に湾曲した曲面に形成されており、かつ、この曲面とペット対向面に設けた凹みの内底面とが対向した状態で磁石を凹みに収納するので、取付部をペットの体に湾曲させて取付けた場合でも、磁石を取付部から外れにくくすることができる。
第６発明によれば、磁石を収納する凹みの内底面が、磁石の一面が取付部のペット対向面に向かって凸状に湾曲した曲面と略同一の曲面に形成されているので、取付部をペットの体に取り付ける際の前後を通じて、取付部に磁石を強固に固定することができる。
第７発明によれば、磁石において、取付部をペットの体に取付けたときに磁石のペットに対向する部分を円錐状に形成しているので、円錐状部分をペットの被毛に進入させることができる。すると、磁石の磁気がペットの被毛によって遮蔽されないので、磁石の磁気の効果を効率よくペットに付与することができる。
さらに、磁石のペットに対向する部分の円錐形状の先端部を丸く形成していることから、円錐状の先端がペットの皮膚に接触しても傷つけることがない。
第８発明によれば、取付部をペットの体に取付けたときに、取付部のペット対向面からの磁石の突出がないので、取付部をペットに取付けても磁石による違和感をペットに与えない。
第９発明によれば、継続的にペットの首の筋肉に磁石の磁気を付与することができる。
第１０発明によれば、胴輪をペットの体に取付けると、取付部に設けられた磁石から継続的にペットの広背筋の筋肉に磁気を付与することができる。
第１１発明によれば、ペット用の服の内面に磁石を設けた取付部を備えているので、この取付部が接するペットの体の筋肉に継続的に磁石の磁気を付与することができる。さらに、磁石を設けた取付部が着脱可能であるので、服が汚れても、磁石を設けた取付部と分離して洗浄することができる。
【図面の簡単な説明】
【００１３】
【図１】本実施形態の首輪10の説明図であって、（Ａ）は首輪10の内側の図面であり、（Ｂ）は首輪10の長手方向断面の図である。
【図２】首輪10の斜視図である。
【図３】首輪10に取付けられた磁石13の接着面についての説明図であって、（Ａ）は首輪10の長手方向断面図であり、（Ｂ）は（Ａ）の磁石13と取付部11との接着面の拡大図である。
【図４】取付部11のペット対向面11ｓに磁石13を収納し得る凹み11ｄに磁石13を収納した図である。
【図５】取付部11の凹み11ｄに磁石13を収納した状態の首輪10の長手方向断面図であって、首輪10をペットの首に取付ける前と取付けた後の状態の説明図である。
【図６】首輪10の長手方向断面図であって、磁石13の曲面13ｃと凹み11ｄの内底面11ｂの凹み曲面とが対向した状態で磁石13を凹み11ｄに配置した状態の説明図である。
【図７】磁石13の形状について説明した図である。
【図８】凹み11ｄの深さと磁石13の高さの関係を説明した首輪10の長手方向断面図である。
【図９】本実施形態の胴輪20を犬に取付けたときの説明図である。
【図１０】本実施形態の服30を犬に着せたときのの説明図である。
【発明を実施するための形態】
【００１４】
本発明の磁石付きペット用具は、ペットの体に取付けられる取付部に磁石を設けて、磁石の磁気をペットに付与するペット用具である。そして、取付部に設けられた磁石を取付部に強固に接着できるようにして、磁石が剥離等しにくくしたことに特徴を有している。
【００１５】
なお、本発明の磁石付きペット用具には、例えば、首輪、胴輪、服、靴下、靴、レッグウォーマー等のペットの体に取り付けられる様々の用具が含まれる。
【００１６】
以下、本発明の磁石付きペット用具を実施形態の図面に基づき説明する。
まず、基本構成を説明する。
図１において、符号10は、ペット用のペット用具である首輪を示している。
この首輪10は、ペットの首に取り付ける帯状の取付部11と、その一端に設けられた固定具12とを備えている。そして、取付部11の他端部には、穴11ｈが複数個形成されている。
そのため、取付部11をペットの首に回して、固定具12を穴11ｈに掛合すれば取付部11を輪状にしてペットの首に首輪10を取付けることができる。
なお、首輪10の材質は、皮製、布製、合成樹脂製等を採用することができる。
【００１７】
図２は、首輪10を輪状にした状態の斜視図である。
図２に示すように、輪状にした首輪10の内側の面、つまり、首輪10をペットの首に取付けたときに、ペットに対向する面11s（以下単にペット対向面という）に磁石13が設けられている。磁石13は、その一面（図１のＢ図における磁石13の下側の面、以下単に接着面という）に接着剤14を塗布してペット対向面11ｓに接着されているのである。
【００１８】
このように、本発明のペット用具である首輪10は、ペットの首に取付けられる取付部11を備えており、この取付部11に磁石13が設けられているので、首輪10をペットの首に取付けると、磁石13の磁気をペットに付与することができる。
つまり、かかるペット用具をペットに取り付けることにより、ペットの運動不足による筋肉疲労が原因となる筋肉中の血液循環障害、精神的ストレスに伴う交感神経の刺激による筋肉中の血管収縮などの筋肉中の血行不良等の問題となる筋肉の「凝り」を有効に改善することができる。
また、ペットは「凝り」から生じる神経系の痛みにより、さらにストレスを生じやすくなり、このストレスに起因して噛み癖等の問題行動を起こすという悪循環に陥るといった問題や、老齢のペットに生じやすい筋肉中の血行不良による合併症も有効に改善することができる。
【００１９】
とくに、本実施形態の磁石付きペット用具の首輪10は、ペットの首に取付けることで、磁石13の磁気をペットの首の筋肉に集中的に付与するので、首まわりの筋肉中の「凝り」の原因となる筋肉中の血行不良やストレスを解消又は予防することができる。それにより、ペットの健康増進を図ることもできる。また、犬等の四足歩行をする動物の首には、首を形成する筋肉のうち、二足歩行をする人間には存在しない頚二腹筋など多種の筋肉が存在する。これら人間に存在しない筋肉は、犬等の活動に必要となる筋肉であることから、犬等は人間よりも首の筋肉が疲労する。すなわち、犬等のペットにとって、筋肉疲労が生じやすい首に、上述の磁石付きペット用具の首輪10を取付けることは有益であるといえる。
【００２０】
また、図１に示すように、上述の取付部11のペット対向面11ｓに磁石13が設けられている。すると、首輪10をペットの首に取付ければ、ペットの体表面に対向して磁石13を設けることになるため、磁石13の磁気を効率よくペットに付与することができる。つまり、ペット対向面11ｓに磁石を設けない場合に比べて、効率よく筋肉中の「凝り」の原因となる筋肉中の血行不良やストレスを解消又は予防することができる。
【００２１】
なお、磁石13は、磁気を放出する性質を有しているものであれば、特に限定されない。例えば、フェライト磁石などがある。なお、磁石13が永久磁石であれば、外部から電場や磁場の供給を受けなくても磁石としての性質を長期間にわたって保持し得るので好ましい。
【００２２】
図１に示す磁石13を取付部11に設ける方法としては、取付部11に磁石13を設けることができればどのような方法でも採用することができる。
例えば、接着剤や両面接着シート（例えば、緩衝材を基材としてその両面に接着剤が塗布された面を備えているものなど）などを採用して、磁石13を取付部11に設けることができる。
【００２３】
また、磁石13は粒状、板状等などでもよく、その形状は特に限定されない。
【００２４】
さらに、磁石の表面の状態はとくに限定されないが、その表面が滑らかであれば、磁石13が取付部11から剥離等しやすくなる。よって、以下の図３に示すような表面を有する磁石を採用すれば、取付部11に磁石13がより強固に固定でき、磁石13を取付部11から剥離しにくくすることができるので好ましい。
【００２５】
図３に示すように、磁石13は、接着面に凹凸が形成された凹凸面13ｓを有しており、磁石13は、かかる凹凸面13ｓを取付部11に接着剤14を塗布して接着して取り付けられている。
【００２６】
かかる凹凸面13ｓを有する磁石13を取付部11に取付ければ、図３（Ｂ）に示すように、磁石13の取付部11との接着面に凹凸形状が形成されているので、接着剤14で磁石13を取付ける場合、接着剤14が凹凸形成部に進入し、接着剤14と磁石13との接着面積が増加する。このため、接着面に凹凸形状を形成しない磁石に比べ、凸部分の表面積の分、取付部11と磁石13との接触面積が大きくなるから、両者を強固に接着することができる。すると、ペットの被毛が磁石13と取付部11のペット対向面11ｓの間に侵入したとしても、磁石13は取付部11に強固に接着されているため、被毛による磁石13の剥離を防止でき、磁石13を取付部11から外れにくくすることができる。
また、上記構成を採用すれば、補助部材等を用いなくても、磁石13を強固に取付部11に固定することができ、磁石13を取付部11に取付ける手段を簡易にできる。しかも、接着剤14だけで取付部11に磁石13を固定できるので、補助部材等を併用しなくてもよいため、低コストでペットの筋肉中の「凝り」の原因となる筋肉中の血行不良やストレスを解消又は予防でき、ペットの健康増進を図ることができる。
【００２７】
なお、凹凸の形状は、図3（Ｂ）に示すように、凸部が逆三角形形状のものを挙げることができるが、この形状に限定されない。しかし、凸部が逆三角形の形状であれば、磁石13の接着面に接着剤14を塗布した場合、磁石13と接着剤14との接着面積を大きくできるので好ましい。
【００２８】
さらに、磁石13が接着面に凹凸面13ｓを有している場合において、取付部11が皮製、布製等の磁石13よりもやわらかい材質で形成されていれば、磁石13をさらに強固に固定することができる。なぜなら、かかる取付部11に凹凸面13ｓを有する磁石13を取付ける際に、磁石13を押圧して取付ければ、磁石13が磁石よりもやわらかい材質に食い込むため、磁石13と取付部11との凹凸形状の面を有していない場合よりも取付部11と接着剤14との接着面積を増加させることができるからである。
【００２９】
とくに、磁石の凹凸形状のうち、凸部の先端にフック状の「かえし」を形成するとより好ましい。この場合、磁石13を取付部11に接触させて押圧して取り付けると、フック状先端部の「かえし」が前記やわらかい材質に食い込んで引っかかる。すると、取付部11と磁石13とをさらに強固に固定でき、取付部11から磁石13を外れにくくすることができるという利点が得られる。
【００３０】
また、本発明にかかる磁石付きペット用具の取付部に磁石を取り付ける方法は、上述した構成に限定されるものでなく、例えば、以下に示す構成とすることもできる。
図４に示すように、取付部11のペット対向面11ｓに磁石13を収納し得る凹み11ｄを形成して、この凹み11ｄに磁石13を収容するようにしてもよい。すると、かかる首輪10をペットの首に取付けても、かかる凹み11ｄに磁石13を収納できるので、磁石13の取付部11との接着面が、ペット対向面11ｓに露出しないので、ペットの被毛が接着面に引っかかりにくくすることができる。
【００３１】
なお、凹み11ｄ部分の形状は、配設する磁石13を収納できる形状に形成されるものであれば、その形状や形成方法は特に限定されない。例えば、磁石が円柱形状であって磁石13と取付部11との接着面が円形の面である場合、前記凹み11ｄの形状はかかる円の径と略同一又は、やや大きい径の凹みを形成すれば、この凹み11ｄに磁石13を収納することができるので、上記効果を得ることができる。さらになお、取付部11の材質が弾性力を有するものである場合、前記凹み11ｄの径を前記円柱形状の磁石13の径よりもやや小さくても、磁石13を押圧して凹み11ｄ内へ押し込めば、弾性力を有する材質の収縮力により磁石13は取付部11からさらに外れにくくなるので好ましい。
【００３２】
上記のごとく、取付部11に形成した凹み11ｄに磁石13を収納する場合、磁石13の形状を以下のようにすることもできる。
図５上図に示すように、磁石13の一面を湾曲した曲面13ｃに形成し、この曲面13ｃと上述した凹み11ｄの内底面11ｂとが対向する状態、つまり、曲面13ｃと内底面11ｂが対向した状態となるように磁石13を凹み11ｄに設置する。
そうすると、図５下図に示すように、取付部11をペットの首に湾曲させて取付けたときに、凹み11ｄの内底面11ｂも湾曲し、その湾曲と磁石13のペット対向面11ｓに向かって凸状に湾曲した曲面13ｃと略同一となる。つまり、取付部11をペットの首に取付けたときに、取付部11の凹み11ｄの内底面11ｂと磁石13の曲面13ｃとを面接触して密接に接着することができるので、取付部11に磁石13を強固に固定することができる。
【００３３】
なお、かかる曲面13ｃの曲率半径Ｒ１は、取付部11をペットの首に取付けたときの磁石13を設けた取付部11の曲率半径Ｒ２と略同じになるように形成されることが好ましい。取付部11をペットの首に取付けたときの磁石13の曲面13ｃと凹み11ｄの内底面11ｂの曲面とが略密接した状態で面接触することができるため、磁石13を取付部11からさらに外れにくくすることができる。
【００３４】
図６に示すように、上述した凹み11ｄの内底面11ｂを、前記磁石13の曲面13ｃの曲率半径と略同一の曲率半径を有する凹み曲面に形成して、曲面13ｃと内底面11ｂとが対向した状態となるように磁石13を凹み11ｄに設置すれば、平坦面を有する内底面11ｂを採用する場合よりも、磁石13を取付部11に強固に固定できる。つまり、取付部11をペットの首に取り付ける際の前後を通じて、取付部11の凹み11ｄの内底面11ｂと磁石13の曲面13ｃは面接触しており、密着した状態に保たれるので、取付部11に磁石13を強固に固定することができる。
【００３５】
また、磁石の形状を図７に示すような形状にすることもできる。
図７に示すように、磁石13は、ペットに対向する部分13ｕを円錐形状に形成して、この円錐形状の先端部13ｔを丸く形成したものである。これにより、磁石13において、取付部11をペットの首に取付けたときに磁石13のペットに対向する部分13ｕを円錐状に形成しているので、円錐状部分をペットの被毛に進入させることができる。すると、磁石13の磁気がペットの被毛によって遮蔽されないので、磁石13の磁気の効果を効率よくペットに付与することができる。
さらに、磁石13のペットに対向する部分13ｕの円錐形状の先端部13ｔを丸く形成していることから、円錐状の先端がペットの皮膚に接触しても傷つけることがないため有効である。
【００３６】
一方、取付部11のペット対向面11ｓに形成した凹み11ｄに磁石13を収納した際に、磁石13が前記ペット対向面11ｓから突出しない構成を採用することもできる。
図８に示すように、取付部11をペットの首に取付けたときに、凹み11ｄのペット対向面11ｓから内底面11ｂまでの深さを、磁石13の高さと同一、またはそれよりも深く形成する。
例えば、凹みの深さが磁石13の高さと同一であれば、ペット対向面11ｓと磁石13の上端面は略面一に形成することができる。そうすると、取付部11をペットの首に取付けたときに、ペット対向面11ｓに設けた磁石13のペットに対向する部分が、取付部11のペット対向面11ｓよりも突出しないか、突出しても僅かしかないので、磁石13による違和感をペットに与えることなく、磁石13の磁気をペットの首の筋肉に付与することができる。
【００３７】
次に、本発明の磁石付きペット用具のうち本実施形態の胴輪について図面に基づき説明する。
図９において、符号20は、ペット用のペット用具である胴輪を示している。
この胴輪20は、ペットの体に取付けて使用するものである。
具体的には、ペットである犬の足に引っ掛ける二箇所の輪状部21を備えている。
そして、図９に示すように、胴輪20は、ペットの体に取り付けた際に、犬の背中側で二つの輪状部21が結合した状態となるように形成されており、その部分にリードが取付けられるようになっている。また、それぞれの輪状部21を胸部側で連結し、胴輪20がペットの前足からずれたり、外れたりすることを防止する連結部も備えている。
なお、胴輪20の材質は、皮製、布製、合成樹脂製等を採用することができる。
【００３８】
そして、この胴輪20には、輪状部21の内側の面、つまりペットに対向する面21ｓに磁石23が設けられている。
【００３９】
磁石23は、前述の首輪10と同等の取付構造によって輪状部21に取付けられている。すると、かかる胴輪20をペットの体に取付けた際に首輪10に磁石13を取付けた際と同様に、磁石23が輪状部21から外れにくいなどの効果を得ることができる。
【００４０】
とくに、胴輪20の構成として、図９に示すように、胴輪20をペットの体に取付けたときに、輪状部21がペットの前足の広背筋に沿う配置となるように構成されていることが好ましい。
かかる構成の胴輪20の場合、ペットの体に取付けると、広背筋（前足付け根部分から背骨後方に向かって右斜め略45度から90度の範囲に存在する筋肉）沿った輪状部21に設けられた磁石23から放射される磁気を効率よく付与することができる。
【００４１】
なお、輪状部21は、ペットの前足後ろ部の胸部に取付けられるのものであればとくに限定されない。例えば、輪状部21が、一本でも形成されていれば、胴輪20をペットに取付やすくすることができ、かつ、輪状部21を広背筋の主要部分に接するように配置できるため、磁石23の磁気を充分にペットの広背筋に付与することができるので好ましい。
【００４２】
次に、本発明の磁石付きペット用具のうち本実施形態の服について図面に基づき説明する。
図１０において、符号30は、ペット用のペット用具である服を示している。
この服30は、その内面にシート状にした取付部31（以下単に取付シート31という）と、取付シート31を服30にとりつける取付具32とを備えている。
そのため、取付シート31を取付具32に掛合して服30の内面に取付けて、その服30でペットの体を覆うように取付けることができる。
なお、服30の材質は、皮製、布製、合成樹脂製等を採用することができる。
【００４３】
また、図１０に示すように、服30の長手方向の端部には、固定具31ｆが設けられているので、服30をペットに取付けたときに腹部側で端部を閉じてペットの体から服30をはずれにくくすることができる。
なお、服30の端部を閉じて、ペットの足、首等を挿入できる部分のみ開口している筒状の服なども採用することができる。
【００４４】
そして、取付シート31は、その内側の面、つまり、ペットに服を着せたときにペットと対向する面31ｓに磁石33が設けられている。
磁石33は、前述の首輪10と同等の取付構造によって取付シート31に取付けられている。
すると、かかる服30をペットの体に取付けて着せた際に首輪10に磁石13を取付けた際と同様に取付シート31から磁石33が外れにくいなどの効果を得ることができる。
【００４５】
なお、取付具32は、取付シート31を服30の内面に取付けることができるものであれば、特に限定されず、例えば、服側のＵ字管と取付シート側のフックとで構成されたものでもよく、また、服の内面にジッパーで取付シートを取り付けたものなどを採用できる。
【００４６】
また、図10に示すように、服30の構成として、取付シート31は、その取付シート31の角部を取付具32で服30の内面に掛合する構成を採用すれば、取付シート31は、服30から着脱可能にすることができる。すると、服30の外面が汚れた際は、取付シート31を外して、服30のみ洗浄することができる。
【００４７】
さらになお、取付シート31が、服30から着脱できない構成（例えば、取付シート31を服30の内面に縫い付けるなど）とすることも採用できる。
かかる構成とすることで、ペットが激しく動いた場合でも服30から取付シート31が外れることはない。
【００４８】
さらに、取付シート31は、その形状が複雑なものや、様々な大きさのものとすることができる。服30は犬の体型にあうように構成され、その内面に取付シート31を備えているので、取付シート31の形状が複雑に形成されている場合などであっても、取付シート31は犬の体に密接し得る構成されているからである。このため、かかる服30をペットに着せたときに、ペットの体の所望の筋肉に磁石33の磁気を付与させることができる。例えば、ペットの広背筋を覆う取付シート31を設けた場合は、磁石33から放射される磁気を広背筋に効率よく付与することができる。また、取付シート31で覆う体部が胸部であれば胸部の筋肉に、腹部であれば腹筋に、これらの筋肉全体を覆えばかかる筋肉に、磁石33の磁気を付与することができる。
【００４９】
なお、取付部に設ける磁石は、その表面がシリコン、樹脂等で表面が覆われた構成としてもよい。
この場合、磁石の表面を覆った樹脂等の材質の熱融着等（加熱または高周波によるものも含む）を利用することで、接着剤を使用することなく取付部に磁石を固定することができるのである。
なお、上記のごとき取付部への磁石の取付方法は、本発明の磁石付きペット用具、例えば、首輪、胴輪、服、靴下、靴、レッグウォーマー等のペットの体に取り付けられる様々の用具に磁石を設けるのに採用することができる。
また、上記磁石を布等に取付けた場合には、この布を首輪等に縫い付けることによって、磁石を首輪等に取付けることができる。
【産業上の利用可能性】
【００５０】
本発明の磁石付きペット用具は、取付部に設けられた磁石を取付部に強固に固定し、取付部から剥離等しにくくして磁石の磁気をペットに付与することに適している。
【符号の説明】
【００５１】
１０  首輪
１１  取付部
１３  磁石
１３ｓ 凹凸面
１１ｄ 凹み
１３ｃ 曲面
１１ｂ 内底面
【図１】
2011182687.tif 000003
【図２】
2011182687.tif 000004
【図３】
2011182687.tif 000005
【図４】
2011182687.tif 000006
【図５】
2011182687.tif 000007
【図６】
2011182687.tif 000008
【図７】
2011182687.tif 000009
【図８】
2011182687.tif 000010
【図９】
2011182687.tif 000011
【図１０】
2011182687.tif 000012